(57)【特許請求の範囲】
【請求項１】
上下伸縮自在のヘッドレストを有するチャイルドシートがハンドル中央部に設けられた自転車の当該チャイルドシートを被覆することができ、袋状のカバー本体部の底面部には底面開口部が形成され、その上面部には上面開口部が形成され、上面開口部の前方側にはこの上面開口部を開閉できる開閉カバー部材が接続し、この開閉カバー部材が上面開口部を閉鎖して、カバー本体部と係着される前部チャイルドシートカバーにおいて、
この開閉カバー部材は、その一部又は全部が透明の前面部と、前面部の前方縁部が本体部と接続する接続部と、前面部から後方に延長する頂面部と、左右の側面部と、後方の背面部とから形成され、
前記カバー本体部には、この本体部の両側面部及び背面部の上縁部から上方に延長する上方延長部が形成され、
前記上方延長部の内部に芯材を介装して上方延長部の保形性を保持させ、
この上方延長部の外側の適宜位置にはその上下方向に延びる係着部材が設けられ、
この係着部材に相互に係着する係着部材を前記開閉カバー部材の内側に設け、
チャイルドシートのヘッドレストが最上端又は最下端の位置にあるときにも、前記係着部材同士を相互に係着して、前記開閉カバー部材の頂面部の高さ位置を高低自在に設定して開閉カバー部材が本体部の上面開口部を閉鎖することができ、これによって、幼児がチャイルドシートに着席しているとき又は不使用時にもその全体を被覆することができることを特徴とする自転車用前部チャイルドシートカバー。
【請求項２】
前記上方延長部の背面部と両側面部との境界部で、前記芯材を一部重ねて縫製することにより、上方延長部の保形性をより向上させたことを特徴とする請求項１に記載の自転車用前部チャイルドシートカバー。
【請求項３】
前記本体部と上方延長部との境界部に挿通部を設け、この挿通部内に紐状部材を挿通し、その両端部を後方背面部の開口部から外部に導出して相互に集束させ、固着することができるように構成し、
これにより、紐状部材を引き絞り、固着することにより、前記本体部と上方延長部との境界部がチャイルドシートの座席の上縁部とヘッドレストの境界部分に食い込み締め付け固定された状態となることを特徴とする請求項１又は２に記載の自転車用前部チャイルドシートカバー。
【請求項４】
前記上方延長部に設けた係着部材を背面部の外側に設け、この係着部材として背面部の両側の上下方向に延長する一対の帯状の面ファスナーから形成し、
これら一対の帯状の面ファスナーに相互に係着する一対の帯状の面ファスナーを開閉カバー部材の背面部の内側に係着部材として設けたことを特徴とする請求項１乃至３の何れか１項に記載の自転車用前部チャイルドシートカバー。
【請求項５】
前記開閉カバー部材の前方接続部に外気導入口を形成したことを特徴とする請求項１乃至４の何れか１項に記載の自転車用前部チャイルドシートカバー。
【請求項６】
前記開閉カバー部材の前方接続部を本体部と着脱自在に形成したことを特徴とする請求項１乃至５の何れか１項に記載の自転車用前部チャイルドシートカバー。
【発明の詳細な説明】
【技術分野】
【０００１】
本発明は、ハンドル部中央が略Ｕ字形状に湾曲され、この部位にチャイルドシートが設備されたチャイルドシート付き自転車において、当該前部チャイルドシートのほぼ全体を被覆することができる前部チャイルドシートカバーに関する。
このカバーは、幼児がシートに腰掛けているときも、或いはシートの不使用時の何れのときも装着したまま使用することができるものである。
【背景技術】
【０００２】
まず、図５において、ハンドル中央部にチャイルドシートを備えた自転車の斜視図を示している。
このチャイルドシート付き自転車５０は、そのハンドルの中央部が下方に湾曲されて略Ｕ字形状に形成され、この部位に幼児用のチャイルドシート５１が設備されたものである。
【０００３】
このチャイルドシート５１は、腰掛け部５２がバスケット状に箱体形状を有し、この部分に幼児が腰掛けて使用するが、その内面部にはクッション部材が配設され、背部にはシートベルトも装備され、足載せ部５３は、使用時は下方に下げることができ、不使用時には上方に上げて本体部に固定できるように構成されている。
更に、背部にはヘッドレスト５５が上下摺動自在に設けられており、幼児を乗せないときには下方に収納し、幼児を乗せて使用する際には、図示した通り、ヘッドレスト５５を上方に引き出して使用することができる。
【０００４】
図６は、上記チャイルドシート５１を側面から見た模式図であり、その（Ａ）が足載せ部及びヘッドレストを収納した状態を示し、その（Ｂ）が足載せ部を下方に引き出し、ヘッドレストを上方に引き上げた状態を示している。
この模式図に示したとおり、このチャイルドシート５１に幼児を乗せない場合には、図６（Ａ）の状態となり、この状態においては、荷カゴとしても使用することもできる。
また、幼児をこのチャイルドシートに乗せる際には、図６（Ｂ）に示した通り、足載せ部５３を下方に引き出し、ヘッドレスト５５を上方に引き上げて使用するのである。
【０００５】
このように、チャイルドシートは、その内側のクッション部材やシートベルト等の構成と、上記足載せ部やヘッドレストの構成により極めて複雑な構造を有しているのである。
そして、このような複雑な構造を有するチャイルドシートの内部が雨等により濡れてしまうと、この雨水を拭き取ることが極めて大変であり、同様に埃や汚れ等が付着しても同様の問題があったのである。
そのために、不使用時であってもチャイルドシートカバーが必要となるのであり、このカバーは、チャイルドシートと略Ｕ字形状のハンドル部の垂立部分を共に被覆できるものでなければならなかった。
【０００６】
このような課題を解決するために、下記特許文献に記載のカバーが開発された。
これらの先願は本願出願人が先に提案したものである。
特許文献１に記載の考案は、ハンドル中央部にチャイルドシートが設けられた自転車の当該チャイルドシートを被覆する前部チャイルドシートカバーであって、ボックス形状のカバー本体部の底面部には底面開口部が形成され、その上面部には上面開口部が形成され、これらのそれぞれの開口部の周縁部の全部又は一部には伸縮自在の弾性部材が挿通されて、それぞれの開口部が収束するように形成され、上面開口部の前方側にはこの上面開口部を被覆できる閉鎖シート部材が延設され、この閉鎖シート部材が上面開口部を閉鎖して、カバー本体部と係止されることができる前部チャイルドシートカバーである。
そして、上記閉鎖シート部材が巻回され或いは折り畳まれて、集束部材によって括り留めることができることを特徴とするものである。
【０００７】
他方、特許文献２に記載の発明においては、上記考案の改良であって、幼児が着席した使用状態であっても、幼児と共にその全体を被覆できるものを提案した。
即ち、その構成は、カバー本体部がシートの全体を被覆でき、上面開口部に開閉自在の閉鎖シート部材を設け、更に、前記本体部に開閉カバー部材を着脱自在に連結したものから成る。この開閉カバー部材は透明の前面部を有し、その前方側面部である連結部の内側の係着部を本体部の係止具受部に係着することにより相互に連結できる。これにより本体部の閉鎖シート部材を巻回して開放し、この閉鎖シート部材を集束部材によって括り留めた状態で幼児をチャイルドシートに着席させ、開閉カバー部材の背面部をチャイルドシートの伸張したヘッドレストの上縁部に引っ掛けるように被覆することができるものである。
このようにして、チャイルドシートカバーは、幼児が使用しないときには、開閉カバー部材を取り外し、閉鎖シート部材によって上面開口部を閉鎖することができ、降雨時等の使用時には、上面の閉鎖シート部材を開放し、これを巻回して集束部材で括り留めて、開閉カバー部材を取り付け使用することができるものであった。
【先行技術文献】
【特許文献】
【０００８】
【特許文献１】実用新案登録第３１６６２１５号公報
【特許文献２】特開２０１４−３７２３６号公報
【発明の概要】
【発明が解決しようとする課題】
【０００９】
まず本発明においては、上記従来のチャイルドシートカバーと同様に、これを装着したままの状態で、不使用時は勿論のこと、雨天、強風又は寒冷時等の天候の際にも、幼児を乗せて使用することができることがその課題である。
次に、上記従来の第２の発明のように、開閉カバー部材を着脱する必要のないものを提供することもその課題となる。
或いは、上記チャイルドシートカバーにある上面開口部を開閉する閉鎖シート部材という構成部材を不要とすることもその課題となり、これにより、その構成はより簡易なものとなる。
【００１０】
上記従来のカバーにおいては、上記のような構成を採用したのは、つまり、本体部の上面開口部を開閉する閉鎖シート部材と着脱自在の開閉カバー部材を必要としたのは、前部チャイルドシート自体が変形すること、つまり、特にシートの背部の上端部に設けたヘッドレストが上下に移動し（その足乗せ部も上下に移動するのであるが）、シートの上端縁部の背部でその形状サイズが大小（高低）に変形するからであった。
そこで、本発明においては、この前部チャイルドシートのサイズ変更をも考慮に入れて、このサイズ変更にも拘わらず、同じ一つのカバーで対応できるチャイルドシートカバーを提供することをその第一の課題とするものなのである。
【課題を解決するための手段】
【００１１】
上記課題を解決するために、本発明の第１のものは、上下伸縮自在のヘッドレストを有するチャイルドシートがハンドル中央部に設けられた自転車の当該チャイルドシートを被覆することができ、袋状のカバー本体部の底面部には底面開口部が形成され、その上面部には上面開口部が形成され、上面開口部の前方側にはこの上面開口部を開閉できる開閉カバー部材が接続し、この開閉カバー部材が上面開口部を閉鎖して、カバー本体部と係着される前部チャイルドシートカバーにおいて、この開閉カバー部材は、その一部又は全部が透明の前面部と、前面部の前方縁部が本体部と接続する接続部と、前面部から後方に延長する頂面部と、左右の側面部と、後方の背面部とから形成され、前記カバー本体部には、この本体部の両側面部及び背面部の上縁部から上方に延長する上方延長部が形成され、前記上方延長部の内部に芯材を介装して上方延長部の保形性を保持させ、この上方延長部の外側の適宜位置にはその上下方向に延びる係着部材が設けられ、この係着部材に相互に係着する係着部材を前記開閉カバー部材の内側に設け、チャイルドシートのヘッドレストが最上端又は最下端の位置にあるときにも、前記係着部材同士を相互に係着して、前記開閉カバー部材の頂面部の高さ位置を高低自在に設定して開閉カバー部材が本体部の上面開口部を閉鎖することができ、これによって、幼児がチャイルドシートに着席しているとき又は不使用時にもその全体を被覆することができることを特徴とする自転車用前部チャイルドシートカバーである。
【００１２】
（削除）
【００１３】
本発明の第２のものは、上記第１の発明において、前記上方延長部の背面部と両側面部との境界部で、前記芯材を一部重ねて縫製することにより、上方延長部の保形性をより向上させたことを特徴とする自転車用前部チャイルドシートカバーである。
【００１４】
本発明の第３のものは、上記第１又は第２の発明において、前記本体部と上方延長部との境界部に挿通部を設け、この挿通部内に紐状部材を挿通し、その両端部を後方背面部の開口部から外部に導出して相互に集束させ、固着することができるように構成し、これにより、紐状部材を引き絞り、固着することにより、前記本体部と上方延長部との境界部がチャイルドシートの座席の上縁部とヘッドレストの境界部分に食い込み締め付け固定された状態となることを特徴とする自転車用前部チャイルドシートカバーである。
【００１５】
本発明の第４のものは、上記第１乃至第３の何れかの発明において、前記上方延長部に設けた係着部材を背面部の外側に設け、この係着部材として背面部の両側の上下方向に延長する一対の帯状の面ファスナーから形成し、これら一対の帯状の面ファスナーに相互に係着する一対の帯状の面ファスナーを開閉カバー部材の背面部の内側に係着部材として設けたことを特徴とする自転車用前部チャイルドシートカバーである。
【００１６】
本発明の第５のものは、上記第１乃至第４の何れかの発明において、前記開閉カバー部材の前方接続部に外気導入口を形成したことを特徴とする自転車用前部チャイルドシートカバーである。
【００１７】
本発明の第６のものは、上記何れかの発明において、前記開閉カバー部材の前方接続部を本体部と着脱自在に形成したことを特徴とする自転車用前部チャイルドシートカバーである。
【発明の効果】
【００１８】
本発明の第１のものにおいては、カバー本体部に開閉カバー部材が接続しており、従来のカバーのように、閉鎖シート部材の存在もなく、その構成が極めて簡易なものとなる。
従って、従来のカバーのように、使用目的に応じて開閉カバー部材を着脱したり、閉鎖シート部材を開閉したりする必要がなく、単に使用目的に応じて開閉カバー部材を開閉するだけでよく、その取り扱いも簡単なものとなる。
この構成は、前部チャイルドシート自体がその外形を変形することにより、これまで実現できなかったものであり、今回、本発明によって初めて実現された効果である。
【００１９】
従って、晴天時に本発明に係るカバーを使用する際は、開閉カバー部材をその前方の接続部に折畳み或いは丸めて括りつけておけばよく、降雨時には、この開閉カバー部材を本体部の上面開口部を被覆するようにして、その背面部で本体部と係着して使用することができるのである。
即ち、本発明のカバーにあっては、チャイルドシートの使用時又は不使用時の何れのときも当該カバーをシートに取り付けたままの状態で利用することが出来るものとなるのである。
【００２０】
次に、本発明に係る開閉カバー部材は、その一部又は全部が透明の前面部と、前面部の前方縁部が本体部と接続する接続部と、前面部から後方に延長する頂面部と、左右の側面部と、後方の背面部とから形成されており、いわば底面開口の略ボックス形状を有しているために、シートに幼児が着席した状態で、極めて良好に幼児の頭部及びヘッドレスト部分の全体を被覆することができ、前面部が透明に形成されているために、着席した幼児の視界も良好に確保できる。
【００２１】
更に、本発明において特徴的なのが、カバー本体部には、この本体部の両側面部及び背面部の上縁部から上方に延長する上方延長部が形成されている点であり、この上方延長部の存在によって、本発明では、従来のカバーとは異なり、本体部と開閉カバー部材との２つの構成部材によってカバーが完成したのである。
【００２２】
即ち、シートの背部のヘッドレストを上方に伸長させ、最上端位置に位置させた際、従来のカバーの閉鎖シート部材では、本体部の上面開口部を閉鎖することが出来なかった。しかし、本発明のような上記上方延長部を形成することにより、ヘッドレストを最上端に位置させた際も、開閉カバー部材により本体部の上面開口部が閉鎖できるという効果を発揮できることとなるのである。
これにより、チャイルドシートに幼児を着席させたままの状態で、開閉カバー部材をシートに被覆することが出来ることとなるのである。従って、降雨時に幼児を乗せたまま、この開閉カバー部材によって本体部の上面開口部を被覆して使用することができることとなるのである。
【００２３】
また、相互に係着できる係着部材を本体部の上方延長部の外側と開閉カバー部材の内側に上下方向に延長するように設けているために、開閉カバー部材を上方延長部に係着する際に、その係着位置を上下方向の何れの位置にも係着することができ、その結果開閉カバー部材の頂面部の高さ位置が高低自在に設定することができる。
これにより、シートに着席した幼児の座高に適合させて開閉カバー部材を本体部の上方延長部に係着することができることとなるのである。
以上の通り、本発明の第１のものにおいては、シートに幼児が着席している場合でも、不使用の場合でも、何れの場合にもカバーを装着させたままの状態で使用でき、しかも、シートに着席した幼児の座高にも適合できるカバーを提案できたものである。
【００２４】
本発明においては、上記上方延長部の内部に芯材を介装したものであり、これにより上方延長部の保形性を保持させたことを特徴とするものである。
勿論、この芯材の存在がなくとも、素材自体の性質により、上方延長部は適度な保形性を有しているのであるが、経時的にその効果は薄れるために、この保形性を高めるべく、芯材を介装させたものである。
【００２５】
本発明の第２のものにおいては、上記芯材において、上方延長部の背面部と両側面部との境界部で、この境界部は縦方向となるが、前記芯材を一部重ねて縫製することにより、この縦方向境界部で芯材が補強され、上方延長部の保形性がより向上するという効果を発揮するものとなるのである。
【００２６】
本発明の第３のものにおいては、カバー本体部と上方延長部との境界部に挿通部を設け、従って、この挿通部は略水平方向又は略横方向に設けられるが、この挿通部内に紐状部材を挿通し、その両端部を後方背面部の開口部から外部に導出して相互に集束させ、固着することができるように構成したものであり、これにより、紐状部材を引き絞り、固着することにより、前記本体部と上方延長部との境界部がチャイルドシートの座席の上縁部とヘッドレストの境界部分に食い込み締め付け固定された状態となるのである。
即ち、この境界部でカバーがしっかりとシートに固着され、本体部がシートを被覆している状態で、例えば足乗せ部を下方に降ろした際も、カバー本体部の上縁部（本体部の上縁部と上方延長部との境界部）が下方に引きずられてしまうということが防止されるのである。
【００２７】
本発明の第４のものにおいては、開閉カバー部材の内側及びカバー本体部の上方延長部の外側に設けた係着部材をより限定してものである。
即ち、前記上方延長部の背面部の外側に係着部材を設け、この係着部材として、前記背面部の両側の上下方向に延長する一対の帯状の面ファスナーから形成し、これら一対の帯状の面ファスナーに相互に係着する一対の帯状の面ファスナーを開閉カバー部材の背面部の内側に係着部材として設けたことを特徴とするものである。
これにより、両係着部材は、その上下方向の何れの高さ位置でも相互に係着することができ、開閉カバー部材の頂面部の高さ位置も上下自由に設定することができ、シートに着席する幼児の座高に適合させることができるものとなる。
【００２８】
本発明の第５のものにおいては、前記開閉カバー部材の前方接続部に外気導入口を形成したことを特徴とするものであり、この外気導入口を設けることにより、カバー内の環境をより向上させることができるのである。
尚、この導入された外気は、開閉カバー部材自体が本体部に上記のように係着部材同士により係着されている関係で、気密に閉鎖されておらず、それ故、その外気は問題なくカバー外部に排出されるものである。
【００２９】
本発明の第６のものにおいては、上記開閉カバー部材の前方接続部を本体部と着脱自在に形成したことを特徴とするものであり、この構成を採用することにより、開閉カバー部材を本体部から取り外して、その内部の清掃をより容易に行うことが可能となるのである。
更に、この開閉カバー部材を留めホック等による連結構造を採用することにより、開閉カバー部材の前方の接続部から外部エアーを導入させることができるという効果も生じるものとなる。
【図面の簡単な説明】
【００３０】
【図１】本発明の一実施形態に係る前部チャイルドシートカバーの全体説明図であって、幼児が着席したチャイルドシートにこのカバーを被覆した状態を示し、シートのヘッドレストは最上端に位置させた状態を示している。
【図２】上記実施形態に係るカバーの開閉カバー部材を開放した状態の説明図である。
【図３】図２の状態の本発明に係るカバーの後面側斜視説明図である。
【図４】本発明の他の実施形態を図示する説明図であって、チャイルドシートのヘッドレストを最上端位置にした状態で、その全体を被覆した状態を図示している。
【図５】チャイルドシート付き自転車の要部斜視図である。
【図６】図５の側面模式図であり、その（Ａ）が足載せ部及びヘッドレストを収納した状態を示し、その（Ｂ）が足載せ部を下方に引き出し、ヘッドレストを上方に引き出した状態を示している。
【発明を実施するための形態】
【００３１】
以下添付の図面と共に、本発明の一実施形態について説明する。
図１は、本発明の一実施形態に係る前部チャイルドシートカバーの全体説明図であって、幼児が着席したチャイルドシートにこのカバーを被覆した状態を示し、シートのヘッドレストは最上端に位置させた状態を示している。
【００３２】
本発明に係る前部チャイルドシートカバーは、カバー本体部１０と、その上面開口部の前方縁部に接続する開閉カバー部材３０とから成る。
そのカバー本体部１０は、略ボックス形状（袋形状）で底面開口部と上面開口部とを有する。
底面開口部の開口周縁部１１ｓには、紐状弾性部材が挿通されており、底面開口部は収束できるように構成されている。即ち、底面開口部が収束され、すぼんで、シートの下方端周縁部に固着する。
【００３３】
また、カバー本体部１０の上面開口部において、その両側面部と背面部の上縁部から上方に延長する上方延長部１２が形成されている。
この上方延長部１２については、後の図で更に説明するが、チャイルドシートのヘッドレストが上方に引き出され、その最上端位置に位置した際に、このヘッドレストの両側部及び背部を外側から被覆出来る程度の大きさを有するものである。
【００３４】
上記のカバー本体部１０の素材は合成繊維製の例えばポリエステル製の布帛から成り、その表面には防水コーティングが施されているが、これらの素材等は従来のものと同様の構成である。
【００３５】
上記カバー本体部１０には、開閉カバー部材３０が、その前方側縁部で接続されている。
この開閉カバー部材３０は、その一部が透明樹脂シートからなる前面部３１と、前面部３１の前方側縁部となる接続部３２と、前面部３１の両側の側面部３３、３３と、前面部３１から後方に連続する頂面部３４と背面部３５とから構成され、底部が開放された略ボックス形状を有している。
【００３６】
この実施形態では、両側面部３３、３３のそれぞれは、その中央部分が透明の合成樹脂素材から形成されている。
また、前面部３１と接続部３２を１枚の生地から形成することもできる。その際には、前面部３１と接続部３２の全体を透明樹脂シートから形成してもよい。
【００３７】
この開閉カバー部材３０の両側面部３３、３３は、後方に向かってその縦方向の長さを徐々に長く形成している。
背面部３５をチャイルドシートのヘッドレストの背面部で、本体部１０の上方延長部１２の背面部と相互に良好に重ね合わせることができるように構成したものである。
【００３８】
この開閉カバー部材３０の素材は、透明の前面部３１と頂面部３４及び側面部３３の透明部分をＰＶＣ又はＥＶＡ等を使用し、接続部３２、両側面部３３、３３の透明部以外、及び背面部３５は、ポリエステル生地を使用しているが、適宜素材は自由に変更することができる。
【００３９】
図２は、上記実施形態に係るカバーの開閉カバー部材を開放した状態の説明図である。
この図によって、本体部１０の両側面部及び背面部から上方に延長する上方延長部１２を良く見て取ることができる。
この図２の状態においても、シートには幼児を着席させ、ヘッドレストは最上端位置にした状態を図示している。
【００４０】
この図ではヘッドレストの最上端位置から幼児の頭部が上方に飛び出た状態であるが、これは幼児の座高により様々で、幼児の頭部がヘッドレストの最上端位置或いはそれよりも少し下になることもある。
この図のように、幼児の頭部がヘッドレストの上端縁よりも上方に突出していたとしても、閉鎖カバー部材の背面部は適宜その上下方向長さを有しているために、十分に幼児の頭部を被覆して、本体部１０の上方延長部１２の背面部と相互に係着できるのである。
【００４１】
そこで、本発明の一つの特徴部分であるが、本体部１０の両側面部及び背面部から上方に延長する上方延長部１２との横方向の境界線部分には、挿通部１３が形成され、この挿通部１３の背面部略中央部には開口部が形成され、当該挿通部１３内に配設された紐状伸縮部材１５、１５の両端部が前記開口部から外部に導出され、相互に締着され、固着されることにより、本体部１０と上方延長部１２との境界線部分（挿通部１３）が収束され、この境界線部分がチャイルドシートの座席部の上縁部とヘッドレストとの間に食い込み、本体部１０自体がチャイルドシートにしっかりと固着されることができるのである。
【００４２】
図３は、図２の状態の本発明に係るカバーの後面側斜視説明図である。
この図においても、本体部１０の両側面部及び背面部の上縁部から上方に延長する上方延長部１２を良く見て取ることができ、両者の境界線部分に設けた挿通部１３内には、紐状部材１５、１５を挿通させ、挿通部１３の開口部から紐状部材１５、１５の両端部を引き出し、引き絞り、締着して固定することができる。
【００４３】
この実施形態では、紐状部材１５、１５の端部部分にワンタッチ式留め具１６を装着しており、このワンタッチ式留め具１６の押しボタンを押すことにより、紐状部材１５、１５が引き出され収束されて、押しボタンを離すことによりロックされる形式のものである。
従って、前記押しボタンを押して、紐状部材１５、１５を引き出して、挿通部１３を収束させて、本体部１０の上縁部と上方延長部１２との横方向境界線部分が引き絞られて、本体部１０はチャイルドシートに固着されることとなるのである。
尚、上記紐状部材１５は伸縮自在のゴム紐を利用することもできる。
【００４４】
更に、上方延長部１２の背面部１２ｈの両側には、上下方向に延長する帯状の面ファスナーが設けられており、これらの帯状面ファスナーが係着部材１８、１８を成す。
この係着部材１８、１８に相互に係着する係着部材は、図には表われていないが、開閉カバー部材３０の背面部の内側部分の対応する位置に設けられている。
【００４５】
これにより、開閉カバー部材３０は、その背面部を本体部１０の上方延長部１２の背面部１２ｈと相互に接合して、その高さ位置を所望の高さ位置に設定して係着することが出来ることとなるのである。
これによって、シートに着席した幼児の頭頂部が開閉カバー部材の頂面部によって強く下方に押し下げられることから防止されるのである。
【００４６】
尚、本発明においては、この上方延長部１２の内部には、芯材を介装している。
この芯材としては、例えば、適宜厚みのペフ（登録商標）を使用することができる。
このペフ（登録商標）というのは、ポリオレフィン発泡体のことであり、クッション性、緩衝性、断熱性、耐水性、及び化学的性質に優れたものであり、その適宜厚みのものを使用して芯材とすることができる。
【００４７】
また、この芯材の背面部と両側面部の境界線部においては、その芯材を折曲して重ね合わせて縫製し、その縦方向境界線部の縫製ライン２０、２０…にて補強をしている。
この補強構造によって、芯材の保形性をより向上させているのである。
この芯材としては、その素材は自由に選択して使用することができる。
【００４８】
図４は、本発明の他の実施形態を図示する説明図であって、チャイルドシートのヘッドレストを最上端位置にした状態で、その全体を被覆した状態を図示している。
この実施形態においては、開閉カバー部材３０を本体部１０と別体に形成し、着脱自在としたものである。
従って、開閉カバー部材３０を本体部１０に固着した後は、上記実施形態と同様の形態となる。
【００４９】
即ち、この実施形態では、開閉カバー部材３０の前方側縁部３２の部分で、本体部１０と着脱自在に形成されており、この前方側縁部３２に設けた４つの留めホック（図中小円にて表示）により相互に係止、離脱できるように構成したものである。
また、留めホック間には、隙間も生じ、この隙間が外気導入口を形成することとなるのである。
これにより、開閉カバー部材３０が本体部１０から完全に分離でき、その内部の清掃等を容易に行うことができるものとなるのである。
その他の構成は、上記第１の実施形態と同じである。
【００５０】
以上、本発明の実施形態について説明したが、本発明においては以下の通りその形態を種々変更して実施することができる。
本発明に係るチャイルドシートカバーの本体部及び開閉カバー部材の形状、大きさ等は、必要に応じて種々設計変更可能であるが、既存の前部チャイルドシートの形状に良好に適合するような形状、大きさに設計することができる。
【００５１】
本体部の底面開口部及び上方延長部と本体部上縁部との境界線部分に設けた紐状部材も、伸縮自在のものを使用することも、伸縮しない単なる紐状部材を挿通して、これを縛り付ける形態とすることもできる。
【００５２】
本体部と接続する開閉カバー部材に関しても種々設計変更が可能である。
上記実施形態では、その前面部の一部を透明としたが、その全部を透明とすることもできる。
【００５３】
開閉カバー部材の両側面部及び背面部の上下方向長さも適宜自由に設計することができる。
勿論、開閉カバー部材の全体を透明素材から形成してもよいが、透明素材の材質を考慮すれば、前面部のみの一部及び側面部の一部を透明とすることが望ましい。
【００５４】
以上、本発明は、前部チャイルドシート付き自転車におけるシートに被覆して使用する前部チャイルドシートカバーに関し、その本体部に開閉カバー部材を接続し、本体部の上縁部に上方延長部を形成することによって、幼児の着席の有無にかかわらず、シートに装着したま使用することができる極めて便利なチャイルドシートカバーを提供することができたものである。
【符号の説明】
【００５５】
１０  本体部
１２  上方延長部
１３  挿通部
１５  紐状部材
１８  係着部材
２０  縫製ライン
３０  開閉カバー部材
３１  前面部
３２  接続部
３３  側面部
３４  頂面部
３５  背面部
５１  チャイルドシート
５５  ヘッドレスト
【図１】
0006415169.tif 000002
【図２】
0006415169.tif 000003
【図３】
0006415169.tif 000004
【図４】
0006415169.tif 000005
【図５】
0006415169.tif 000006
【図６】
0006415169.tif 000007